(57)【特許請求の範囲】
【請求項１】
少なくとも１の階床に設置され、乗り場への進入を制限する１又は複数のセキュリティゲートであって、ゲート開閉制御手段により制御されるフラップを具えるセキュリティゲートと、
前記各セキュリティゲートに設置され、利用者の所持する媒体に記憶された識別情報を読み取る読取手段と、
前記読取手段の読み取った前記識別情報を取得し、前記読取手段に対する前記利用者の所定の操作の有無に基づいて、前記識別情報の送信を実行する又はキャンセルする送信判断手段と、を具え、
前記送信判断手段は、前記識別情報の送信を実行又はキャンセルする何れの場合であっても、前記識別情報を取得した前記セキュリティゲートの前記ゲート開閉制御手段に前記フラップを開くよう信号を送信する、
乗り場行先階登録システムを具えるエレベータ。
【請求項２】
前記利用者の所定の操作は、所定時間内に前記読取手段に複数回前記識別情報を読み取らせる操作であって、
前記送信判断手段は、前記読取手段から所定時間内に同じ識別情報を複数回取得すると、前記識別情報の送信を実行又はキャンセルする、
請求項１に記載の乗り場行先階登録システムを具えるエレベータ。
【請求項３】
前記読取手段が配置されたセキュリティゲートは、１の階床に複数設置され、
前記利用者の所定の操作は、１の読取手段に前記識別情報を読み取らせた後、所定時間内に他の読取手段に同じ識別情報を読み取らせる操作であって、
前記送信判断手段は、１の読取手段から前記識別情報を取得した後、所定時間内に他の読取手段から同じ識別情報を取得すると、前記識別情報の送信を実行又はキャンセルする、
請求項１に記載の乗り場行先階登録システムを具えるエレベータ。
【請求項４】
前記読取手段と同じセキュリティゲートに設置され、利用者の所定の操作を受け付ける操作手段を具え、
前記送信判断手段は、前記読取手段が前記識別情報を読み取った後、所定時間内に前記操作手段が利用者の所定の操作を受け付けると、前記識別情報の送信を実行又はキャンセルする、
請求項１に記載の乗り場行先階登録システムを具えるエレベータ。
【請求項５】
前記送信判断手段から前記識別情報を受信し、前記識別情報に対応付けられた行先階を乗り場行先階呼びとして号機に割り当てる号機割当手段と、
前記乗り場に設置され、前記送信判断手段が、前記識別情報の送信をキャンセルしたときに、前記利用者による行先階の入力を受け付け、入力された前記行先階を前記号機割当手段に送信する行先階入力装置、
を具える、請求項１乃至請求項４の何れかに記載の乗り場行先階登録システムを具えるエレベータ。
【発明の詳細な説明】
【技術分野】
【０００１】
本発明は、利用者の所持するＩＤカードの如き媒体の識別情報に対応付けられた行先階を登録する乗り場行先階登録システムを具えるエレベータに関するものである。
【背景技術】
【０００２】
セキュリティゲートと、乗り場行先階登録システムとを連動させたエレベータが提案されている（例えば特許文献１）。このようなエレベータでは、利用者が所持するＩＤカード等に格納された識別情報をセキュリティゲートで認証し、その識別情報に対応付けられた行先階（例えば利用者のオフィス階）を乗り場行先階呼びとして登録し、その乗り場行先階呼びに号機（かご）を割り当てている。
【先行技術文献】
【特許文献】
【０００３】
【特許文献１】国際公開第ＷＯ２０１２／００８０２４号
【発明の概要】
【発明が解決しようとする課題】
【０００４】
すなわち、セキュリティゲートを通過することで、自動的に行先階が登録される。このため、登録される行先階とは異なる階床、たとえば食堂階や更衣室階などに移動したい場合には、セキュリティゲートの通過によって行先階が自動的に登録された上で、所望の行先階を直接乗り場に設置された行先階入力装置に入力する必要がある。そして、自動的に登録された行先階と行先階入力装置に入力された行先階の２つが登録される結果、自動的に登録された行先階は、無駄な乗り場行先階呼びとなり、この行先階に号機が割り当てられることで、エレベータの輸送性能が低下してしまう。
【０００５】
とくに、更衣室や食堂階等へ利用者が集中する場合など、無駄な乗り場行先階呼びが多数発生し、最適な号機の割当てを阻害するから、エレベータの輸送性能は大きく低下する可能性がある。
【０００６】
そこで、本発明の目的は、無駄な乗り場行先階呼びの登録を低減できる乗り場行先階登録システムを具えたエレベータを提供することにある。
【課題を解決するための手段】
【０００７】
上記の課題を解決するために、本発明の乗場呼び登録システムを具えたエレベータは、
少なくとも１の階床に設置され、乗り場への進入を制限する１又は複数のセキュリティゲートと、
前記各セキュリティゲートに設置され、利用者の所持する媒体に記憶された識別情報を読み取る読取手段と、
前記読取手段の読み取った前記識別情報を取得し、前記利用者の所定の操作の有無に基づいて、前記識別情報の送信を実行する又はキャンセルする送信判断手段と、
前記送信判断手段から前記識別情報を受信すると、前記識別情報に対応付けられた行先階を乗り場行先階呼びとして号機に割り当てる号機割当手段と、
を具える。
【０００８】
前記利用者の所定の操作は、所定時間内に前記読取手段に複数回前記識別情報を読み取らせる操作であって、
前記送信判断手段は、前記読取手段から所定時間内に同じ識別情報を複数回取得すると、前記識別情報の送信を実行又はキャンセルする、
ことができる。
【０００９】
前記セキュリティゲートには、複数の読取手段が設置され、
前記利用者の所定の操作は、１の読取手段に前記識別情報を読み取らせた後、所定時間内に他の読取手段に同じ識別情報を読み取らせる操作であって、
前記送信判断手段は、１の読取手段から前記識別情報を取得した後、所定時間内に他の読取手段から同じ識別情報を取得すると、前記識別情報の送信を実行又はキャンセルする、
ことができる。
【００１０】
前記読取手段と同じセキュリティゲートに設置され、利用者の所定の操作を受け付ける操作手段を具え、
前記送信判断手段は、前記読取手段が前記識別情報を読み取った後、所定時間内に前記操作手段が利用者の所定の操作を受け付けると、前記識別情報の送信を実行又はキャンセルする
ことができる。
【００１１】
前記乗り場に設置され、前記送信判断手段が、前記識別情報の送信をキャンセルしたときに、前記利用者による行先階の入力を受け付け、入力された前記行先階を前記号機割当手段に送信する行先階入力装置、
を具えることができる。
【発明の効果】
【００１２】
本発明の乗場行先階登録システムを具えるエレベータによれば、送信判断手段は、セキュリティゲートを通過する利用者の操作の有無に基づいて、号機割当手段に識別情報を送信又はキャンセルする。すなわち、送信判断手段からの識別情報の送信がキャンセルされた場合には、号機割当手段は乗り場行先階呼びを号機に割り当てないから、無駄な乗り場行先階呼びが号機に割り当てられることはない。従って、無駄な乗り場行先階呼びの発生によるエレベータの輸送性能の低下を抑えることができる。
【図面の簡単な説明】
【００１３】
【図１】図１は、本発明の一実施形態に係る乗り場行先階登録システムを具えるエレベータの乗り場の構成図である。
【図２】図２は、本発明の一実施形態に係る乗り場行先階登録システムの概略ブロック図である。
【図３】図３は、本発明の一実施形態に係る乗り場行先階登録システムを具えるエレベータの動作の一例を説明するフローチャートである。
【発明を実施するための形態】
【００１４】
以下、本発明の一実施形態に係る乗り場行先階登録システムを具えたエレベータについて、図面を参照しながら説明する。
【００１５】
図１は、本発明の乗り場行先階登録システムの適用されるセキュリティゲート４０の設置された階床１２の乗り場１０近傍の概略構成を示している。
【００１６】
図１に示すように、階床１２には、建物内に就役する複数基の号機２０（かご）に乗降する乗り場１０が設けられており、乗り場１０と建物の通路１４との間は、許可された利用者のみを通過させて乗り場１０への進入を許容するセキュリティゲート４０によって区画されている。また、乗り場１０には、行先階を手入力する行先階入力装置５０が設置されており、各号機２０の乗場ドア付近には、自号機の番号（たとえばＡ〜Ｆ）を表示するインジケータ６０が設置されている。インジケータ６０は、号機番号の他、到着する号機２０の昇降方向を示すホールランタン６２やその号機に割り当てられた行先階などを表示することができる。
【００１７】
図示の実施形態では、号機２０は、Ａ号機からＦ号機の６基であり、セキュリティゲート４０は、ａゲートからｃゲートの３基である。なお、号機数やセキュリティゲート数はこれらに限定されるものではない。たとえば、セキュリティゲート４０は１基のみでもよい。
【００１８】
セキュリティゲート４０が設置される階床１２は、建物の基準階となるエントランス階床とすることができる。また、低層用と高層用のエレベータを設置した建物では、その乗り換え階床であってもよい。
【００１９】
セキュリティゲート４０は、利用者が通過するゲート通路１６の側方に設置される。図１の実施形態ではフラップ式ゲートであり、ゲート本体４１に支持され、水平面内で回転してゲート通路１６に出没するフラップ４２（扉）を有する。フラップ４２の開閉は、図２に示すゲート開閉制御手段４７により制御される。
【００２０】
ゲート本体４１には、利用者の所持する媒体の識別情報を読み取る読取手段４４を具える。読取手段４４は、利用者が所持する媒体の識別情報を読み取る接触式又は非接触式のリーダとすることができる。たとえば、利用者が所持する媒体として、ＩＣチップを内蔵したＩＤカードやスマートフォンなどの携帯型電子機器を例示することができ、識別情報は、これら媒体に電子的に格納される。識別情報は、バーコードやＱＲコード（登録商標）とすることもできる。また、読取手段４４として、指紋認証や顔認証などの認証システムを採用した場合には、これら認証システムにおける各種情報も識別情報に含まれる。
【００２１】
読取手段４４によって読み取られた識別情報は、あらかじめ登録された識別情報と一致するか判定される。その判定は、セキュリティゲート４０に設置されたコンピュータや、セキュリティゲート４０を統括的に管理するサーバ（何れも図示せず）にて実行することができる。そして、読み取られた識別情報が、登録された識別情報と一致する場合には、その識別情報は、後述する送信判断手段４５に送信される。
【００２２】
また、ゲート本体４１には、識別情報に基づいて、対応付けられた行先階に移動する号機２０が割り当てられた場合に、その割り当てられた号機２０を表示する割当号機表示部４６を具える。割当号機表示部４６は、後述するとおり、号機２０の割当てがキャンセルされた場合には、その旨を表示する。たとえば、その表示として、行先階が登録されていないこと、号機２０が割り当てられていないこと、または、行先階を行先階入力装置５０から手入力する案内等を例示できる。
【００２３】
行先階入力装置５０は、図１及び図２に示すように、利用者が手入力により行先階を入力する装置である。行先階入力装置５０は、セキュリティゲート４０から号機２０に向かう経路上に設けることが望ましい。行先階入力装置５０は、図１に示すように、行先階を入力する入力ボタン等からなる行先階入力部５２と、その入力された行先階に割り当てられた号機を表示する割当号機表示部５４とを具えている。
【００２４】
エレベータの号機２０の制御は、図２に示す群管理制御装置３０及び各号機２０毎に設置された運行制御装置３６により行なわれる。
【００２５】
群管理制御装置３０は、複数の号機２０の運行を群管理制御する。群管理制御装置３０は、セキュリティゲート４０から送信される識別情報や、行先階入力装置５０から入力された行先階を入出力インターフェース３２を介して受け付ける。より詳細には、号機割当手段３４は、セキュリティゲート４０から識別情報を受信すると、その識別情報に対応付けられてあらかじめ登録された行先階を乗り場行先階呼びとして最適な号機２０に割り当てる。識別情報と、その対応付けられた行先階は、群管理制御装置３０又はこれらを統括的に管理するサーバ（図示せず）に格納しておくことができる。割り当てられた号機２０は、入出力インターフェース３２を介してセキュリティゲート４０に送信される。また、行先階入力装置５０から乗り場行先階呼びを受信した場合にも、最適な号機２０を割り当てる。割り当てられた号機２０は、入出力インターフェース３２を介して行先階入力装置５０に送信される。
【００２６】
そして、乗り場行先階呼びが割り当てられた運行制御装置３６は、その呼びに応答し、自号機２０を運行する。
【００２７】
前述した読取手段４４に電気的に接続され、セキュリティゲート４０に配置される送信判断手段４５は、読取手段４４の読み取った識別情報を取得し、その識別情報を群管理制御装置３０に送信するか否かを判断する手段である。送信判断手段４５は、読取手段４４が識別情報を読み取った後、所定時間内に、利用者の所定の操作の有無を検知し、その操作の有無に応じて、識別情報の号機割当手段３４への送信を実行するかキャンセルするかを判断する。すなわち、利用者が、識別情報に対応付けられた行先階への移動を所望する場合、あるいは、その行先階以外への移動を所望する場合に、所定の操作を実行する。以下では、識別情報に対応付けられた行先階以外への移動を所望する場合に、利用者は所定の操作を実行するものとするが、識別情報に対応付けられた行先階への移動を所望する場合に、所定の操作を実行するようにしてもよい。
【００２８】
利用者の所定の操作とは、たとえば、読取手段４４に識別情報を２回またはそれ以上の回数再読み取りさせる操作を例示できる。すなわち、利用者は、識別情報に対応付けられた行先階以外への移動を所望する場合には、読取手段４４にダブルタップの如く媒体を接近や接触等させて、識別情報を再読み取りさせる。
【００２９】
また、セキュリティゲート４０に、複数の読取手段を設置し、利用者の所定の操作として、１の読取手段で識別情報を読み取らせた後、所定時間内に他の読取手段に同じ識別情報を読み取らせるようにしてもよい。
【００３０】
さらに、読取手段４４と同じセキュリティゲート４０にボタンやタッチパネルの如き操作手段を設置し、利用者の所定の操作として、読取手段４４が識別情報を読み取った後、所定時間内に操作手段を操作するようにしてもよい。
【００３１】
以下、フローチャート図３を参照しながら、本発明の乗り場行先階登録システムの動作フローについて説明する。なお、フローチャート図３は、読取手段４４が識別情報を読み取ってから、セキュリティゲート４０のフラップ４２が開くまでの制御の流れを示している。
【００３２】
送信判断手段４５は、利用者が所持する媒体を読取手段４４に接触又は非接触により識別情報を読み取らせると（ステップＳ１）、その読み取り時刻Ｔから所定時間（ｘ秒、たとえば０．５秒）以内に利用者の上記所定の操作が行なわれたかどうかを判断する（ステップＳ２及びステップＳ３）。たとえば、所定の動作として、上記した読取手段４４への識別情報の再読み取りであった場合には、識別情報の再読み取りを受け付けると（ステップＳ２のＮｏ）、後述するステップＳ８及びステップＳ９で説明するとおり、識別情報の号機割当手段３４への送信をキャンセルする。一方、所定時間以内に利用者の所定の操作がなかった場合には（ステップＳ３のＹｅｓ）、送信判断手段４５は、識別情報を送信してもよいと判断し（ステップＳ４）、群管理制御装置３０に利用者の識別情報の送信を実行する（ステップＳ５）。
【００３３】
上記では、読取手段４４が時刻Ｔに識別情報を読み取った後、利用者の所定の操作の有無を判断するまでの所定時間は０．５秒の短い時間としている。これは、利用者がセキュリティゲート４０を通過するまでの間にステップＳ２〜ステップＳ９の制御を実行するためである。
【００３４】
群管理制御装置３０は、識別情報を受信すると、その識別情報に対応付けられてあらかじめ登録された行先階を乗り場行先階呼びとして最適な号機２０に割り当てると共に、割り当てられた号機２０の番号をセキュリティゲート４０に送信する。そして、セキュリティゲート４０の割当号機表示部４６は、割り当て号機２０の番号を受信すると（ステップＳ６のＹｅｓ）、その号機番号を表示する（ステップＳ７）。
【００３５】
一方、上記ステップＳ２において、利用者が所定の操作、すなわち、識別情報の再読み取りを行なった場合には（ステップＳ２のＹｅｓ）、送信判断手段４５は、識別情報に対応付けられた行先階の登録が不要であると判断し、識別情報の群管理制御装置３０への送信をキャンセルする（ステップＳ８）。そして、割当号機表示部４６は、識別情報の号機割当手段３４への送信がキャンセルされた場合には、乗り場１０に設置された行先階入力装置５０で行先階を手入力するように案内を表示する（ステップＳ９）。
【００３６】
また、送信判断手段４５は、群管理制御装置３０への識別情報の送信の実行又はキャンセルの何れの場合であっても、ゲート開閉制御手段４７にフラップ４２を開くよう信号を送信し、ゲート開閉制御手段４７は、フラップ４２を開く（ステップＳ１０）。
【００３７】
利用者は、割当号機表示部４６に表示された号機２０又は行先階入力装置５０への手入力の案内を参照しつつ、フラップ４２の開いたセキュリティゲート４０を通過して、乗り場１０に入る。
【００３８】
乗り場１０に入った利用者は、識別情報に対応付けられた行先階に移動する場合、すなわち、割当号機表示部４６に号機２０が表示されている場合には、その指示に従って、対応する号機２０の前で待機すればよい。
【００３９】
そして、号機２０の乗場ドアの近傍に設置されたインジケータ６０は、自号機２０の昇降方向や停止する行先階を表示し、利用者は、割り当てられた号機２０の到着を待って、号機２０に乗車すればよい。
【００４０】
所定の操作を行なって、識別情報に対応付けられた行先階以外の行先階に移動する場合には、乗り場１０に設置された行先階入力装置５０の入力部５２に行先階を手入力すればよい。行先階入力装置５０は、入力された行先階を群管理制御装置３０に送信し、その行先階を乗り場行先階呼びとして最適な号機２０に割り当てると共に、割り当てられた号機２０の番号を行先階入力装置５０に送信して、行先階入力装置５０の割当号機表示部５４に表示させる。そして、利用者は、その指示に従って、対応する号機２０の前で待機すればよい。
【００４１】
本発明の乗り場行先階登録システムを具えたエレベータによれば、上記のように、利用者の所定の操作によって、セキュリティゲート４０を通過する際に必要な識別情報に基づいて、その識別情報に対応付けられた行先階の登録の実行又はキャンセルを行なうことができる。従って、利用者が、識別情報に対応付けられた行先階に移動しない場合には、たとえセキュリティゲート４０を通過しても、その行先階が無駄な乗り場行先階呼びとして登録されることはない。このように、無駄な乗り場行先階呼びが発生しないから、エレベータの輸送性能の低下を抑えることができる。
【００４２】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【符号の説明】
【００４３】
２０  号機
３０  群管理制御装置
３４  号機割当手段
４０  セキュリティゲート
４４  読取手段
４５  送信判断手段
４６  割当号機表示部
５０  行先階入力装置
【図１】
0006512251.tif 000002
【図２】
0006512251.tif 000003
【図３】
0006512251.tif 000004